(57)【特許請求の範囲】
【請求項１】
ホース内周側から、内面ゴム層、主補強層群、流出流体吸収層、補助補強層群、及び外面ゴム層を順次積層したホース本体を有し、前記主補強層群を、ホース長手方向に対して傾斜した補強コードをゴム被覆してなる複数の補強層を、隣接する補強層が前記補強コードを交差させるようにして積層した構成にし、前記補助補強層群を、補強コードをゴム被覆してなる複数の補強層を積層した構成にする流体移送用ホースにおいて、前記ホース本体に、前記主補強層群の破損または該主補強層群の破損により前記流出流体吸収層に流出した流体の圧力により切断する導電体と、該導電体に接続されかつ前記導電体の切断により警報を発する警報手段とを設け、この警報手段が、前記導電体の切断により点灯するライト、前記導電体の切断により消灯するライト、前記導電体の切断により点灯するライトと消灯するライト、前記導電体の切断により音波を発信する発信器、または、前記導電体の切断により電磁波の信号を発信する発信器およびこの発信器の発信信号を受信する受信機のいずれかである流体移送用ホース。
【請求項２】
前記切断する導電体が、金属線からなる請求項１に記載の流体移送用ホース。
【請求項３】
前記切断する導電体が、金属線または／及び導電性ゴム部材に、前記主補強層群の破損または該主補強層群の破損により前記流出流体吸収層に流出した流体の圧力により接続を断にするコネクターを接続してなる請求項１に記載の流体移送用ホース。
【請求項４】
ホース内周側から、内面ゴム層、主補強層群、流出流体吸収層、補助補強層群、及び外面ゴム層を順次積層したホース本体を有し、前記主補強層群を、ホース長手方向に対して傾斜した補強コードをゴム被覆してなる複数の補強層を、隣接する補強層が前記補強コードを交差させるようにして積層した構成にし、前記補助補強層群を、補強コードをゴム被覆してなる複数の補強層を積層した構成にする流体移送用ホースにおいて、前記ホース本体に、前記主補強層群の破損または該主補強層群の破損により前記流出流体吸収層に流出した流体の圧力により抵抗値が変化する導電体と、該導電体に接続されかつ前記導電体の抵抗値の変化により警報を発する警報手段とを設け、この警報手段が、前記導電体の抵抗値の増加により点灯するライト、前記導電体の抵抗値の増加により消灯するライト、前記導電体の抵抗値の増加により点灯するライトと消灯するライト、前記導電体の抵抗値の増加により音波を発信する発信器、または、前記導電体の抵抗値の増加により電磁波の信号を発信する発信器およびこの発信器の発信信号を受信する受信機のいずれかである流体移送用ホース。
【請求項５】
前記抵抗値が変化する導電体が導電性ゴムからなる請求項４に記載の流体移送用ホース。
【請求項６】
前記導電体を前記流出流体吸収層よりホース径方向内側にホース長手方向に延在するように固定する請求項１〜５のいずれかに記載の流体移送用ホース。
【請求項７】
前記補助補強層群の補強層を、隣接する補強層がホース長手方向に対する傾斜方向を逆向きにして前記補強コードを交差させるようにして積層すると共に、前記補助補強層群を前記主補強層群の破損により前記流出流体吸収層に流出した流体の圧力によりホース長手方向に伸長変形する構造にし、前記導電体を前記流出流体吸収層よりホース径方向外側にホース長手方向に延在するように固定する請求項１〜５のいずれかに記載の流体移送用ホース。
【請求項８】
前記補助補強層群の補強層を、隣接する補強層がホース長手方向に対する傾斜方向を逆向きにして前記補強コードを交差させるようにして積層すると共に、前記補助補強層群を前記主補強層群の破損により前記流出流体吸収層に流出した流体の圧力によりホース径方向に伸長変形する構造にし、前記導電体を前記流出流体吸収層よりホース径方向外側にホース周方向に延在するように固定する請求項１〜５のいずれかに記載の流体移送用ホース。
【請求項９】
前記補助補強層群の補強層を、隣接する補強層がホース長手方向に対する傾斜方向を逆向きにして前記補強コードを交差させるようにして積層すると共に、前記補助補強層群を前記主補強層群の破損により前記流出流体吸収層に流出した流体の圧力によりホース長手方向に対して捩じれ変形する構造にし、前記導電体を前記流出流体吸収層よりホース径方向外側に前記補助補強層群の捩じれ方向と逆向きに螺旋状に固定する請求項１〜５のいずれかに記載の流体移送用ホース。
【請求項１０】
ホース内周側から、内面ゴム層、主補強層群、流出流体吸収層、補助補強層群、及び外面ゴム層を順次積層したホース本体を有し、前記主補強層群を、ホース長手方向に対して傾斜した補強コードをゴム被覆してなる複数の補強層を、隣接する補強層が前記補強コードを交差させるようにして積層した構成にし、前記補助補強層群を、補強コードをゴム被覆してなる複数の補強層を積層した構成にする流体移送用ホースにおいて、前記ホース本体に、前記主補強層群の破損または該主補強層群の破損により前記流出流体吸収層に流出した流体の圧力により抵抗値が変化する導電体と、該導電体に接続されかつ前記導電体の抵抗値の変化により警報を発する警報手段とを設け、前記補助補強層群の補強層を、隣接する補強層がホース長手方向に対する傾斜方向を逆向きにして前記補強コードを交差させるようにして積層すると共に、前記補助補強層群を前記主補強層群の破損により前記流出流体吸収層に流出した流体の圧力によりホース長手方向に伸長変形する構造にし、前記抵抗値が変化する導電体を導電性ゴムから構成し、該導電体を前記流出流体吸収層よりホース径方向外側にホース周方向に延在するように固定し、前記警報手段が、前記導電体の抵抗値の減少により点灯するライト、前記導電体の抵抗値の減少により消灯するライト、前記導電体の抵抗値の減少により点灯するライトと消灯するライト、前記導電体の抵抗値の減少により音波を発信する発信器、または、前記導電体の抵抗値の減少により電磁波の信号を発信する発信器およびこの発信器の発信信号を受信する受信機のいずれかである流体移送用ホース。
【請求項１１】
ホース内周側から、内面ゴム層、主補強層群、流出流体吸収層、補助補強層群、及び外面ゴム層を順次積層したホース本体を有し、前記主補強層群を、ホース長手方向に対して傾斜した補強コードをゴム被覆してなる複数の補強層を、隣接する補強層が前記補強コードを交差させるようにして積層した構成にし、前記補助補強層群を、補強コードをゴム被覆してなる複数の補強層を積層した構成にする流体移送用ホースにおいて、前記ホース本体に、前記主補強層群の破損または該主補強層群の破損により前記流出流体吸収層に流出した流体の圧力により抵抗値が変化する導電体と、該導電体に接続されかつ前記導電体の抵抗値の変化により警報を発する警報手段とを設け、前記補助補強層群の補強層を、隣接する補強層がホース長手方向に対する傾斜方向を逆向きにして前記補強コードを交差させるようにして積層すると共に、前記補助補強層群を前記主補強層群の破損により前記流出流体吸収層に流出した流体の圧力によりホース径方向に伸長変形する構造にし、前記抵抗値が変化する導電体を導電性ゴムから構成し、該導電体を前記流出流体吸収層よりホース径方向外側にホース長手方向に延在するように固定し、前記警報手段が、前記導電体の抵抗値の減少により点灯するライト、前記導電体の抵抗値の減少により消灯するライト、前記導電体の抵抗値の減少により点灯するライトと消灯するライト、前記導電体の抵抗値の減少により音波を発信する発信器、または、前記導電体の抵抗値の減少により電磁波の信号を発信する発信器およびこの発信器の発信信号を受信する受信機のいずれかである流体移送用ホース。
【請求項１２】
ホース内周側から、内面ゴム層、主補強層群、流出流体吸収層、補助補強層群、及び外面ゴム層を順次積層したホース本体を有し、前記主補強層群を、ホース長手方向に対して傾斜した補強コードをゴム被覆してなる複数の補強層を、隣接する補強層が前記補強コードを交差させるようにして積層した構成にし、前記補助補強層群を、補強コードをゴム被覆してなる複数の補強層を積層した構成にする流体移送用ホースにおいて、前記ホース本体に、前記主補強層群の破損または該主補強層群の破損により前記流出流体吸収層に流出した流体の圧力により抵抗値が変化する導電体と、該導電体に接続されかつ前記導電体の抵抗値の変化により警報を発する警報手段とを設け、前記補助補強層群の補強層を、隣接する補強層がホース長手方向に対する傾斜方向を逆向きにして前記補強コードを交差させるようにして積層すると共に、前記補助補強層群を前記主補強層群の破損により前記流出流体吸収層に流出した流体の圧力によりホース長手方向に対して捩じれ変形する構造にし、前記抵抗値が変化する導電体を導電性ゴムから構成し、該導電体を前記流出流体吸収層よりホース径方向外側にホース周方向に延在するように固定し、前記警報手段が、前記導電体の抵抗値の減少により点灯するライト、前記導電体の抵抗値の減少により消灯するライト、前記導電体の抵抗値の減少により点灯するライトと消灯するライト、前記導電体の抵抗値の減少により音波を発信する発信器、または、前記導電体の抵抗値の減少により電磁波の信号を発信する発信器およびこの発信器の発信信号を受信する受信機のいずれかである流体移送用ホース。
【発明の詳細な説明】
【０００１】
【発明の属する技術分野】
本発明は、海上で石油などの流体を移送する流体移送用ホースに関わり、更に詳しくは、作業員がホースの内部破損を容易に発見することができるようにした流体移送用ホースに関する。
【０００２】
【従来の技術】
石油などの流体を海上移送するのに用いられる流体移送用ホースは、ホースが破損して移送中の流体が海中に流出すると、大きな環境汚染に発展する恐れがある。そのため、ホースの破損をいち早く発見できる構造であることが必要不可欠である。
【０００３】
一般に、上記のような流体移送用ホースは、ホース内周側から、内面ゴム層、主補強層群、流出流体吸収層、補助補強層群、及び外面ゴム層を順次積層した構造になっている。主補強層群及び補助補強層群は、それぞれホース長手方向に対して傾斜した補強コードをゴム被覆してなる複数の補強層を、隣接する補強層が補強コードを交差させるようにして積層した構造になっており、主補強層群は内面ゴム層の内側を通過する流体に対する耐圧力層として作用するのに対して、補助補強層群は、主補強層群の破損により流出流体吸収層に流出した流体が外部に漏出するのを防ぐようにしている。
【０００４】
従来、上述した流体移送用ホースにおいて、主補強層群の破損により流体が流出流体吸収層に流出すると、補助補強層群がその流出流体の圧力を受けて、ホースの長手方向や径方向に伸長変形したり、或いは周方向に捩じれ変形するようにした構造のホースが提案されている。これらのホースでは、外面ゴム層の表面に複数のライン（ストライプ）が設けられている。それらのラインが補助補強層群の伸長変形や捩じれ変形により変形する。そのラインの変形を目視により作業員が発見することにより、移送中の流体が海中に流出する前に主補強層群の破損を知ることができるようになっている。
【０００５】
しかしながら、流体移送用ホースは、数百ｍにわたって接続されるため、補助補強層群を上記のように変形する構成にしても、遠方からの目視では作業員がラインの変形を見落とすことがある。しかも、夜間の作業ではそれを確認することが極めて難しい。
【０００６】
【発明が解決しようとする課題】
本発明の目的は、遠方からあるいは夜間であっても作業員が容易かつ確実に主補強層群の破損を見つけることが可能な流体移送用ホースを提供することにある。
【０００７】
【課題を解決するための手段】
上記目的を達成するため本発明の流体移送用ホースは、ホース本体に、主補強層群の破損または該主補強層群の破損により流出流体吸収層に流出した流体の圧力により切断する導電体と、該導電体に接続されかつ導電体の切断により警報を発する警報手段とを設け、この警報手段が、導電体の切断により点灯するライト、導電体の切断により消灯するライト、導電体の切断により点灯するライトと消灯するライト、前記導電体の切断により点灯するライトと消灯するライト、前記導電体の切断により音波を発信する発信器、または、前記導電体の切断により電磁波の信号を発信する発信器およびこの発信器の発信信号を受信する受信機のいずれかであることを要旨とするものである。
また、本発明の別の流体移送用ホースは、ホース本体に、主補強層群の破損または該主補強層群の破損により流出流体吸収層に流出した流体の圧力により抵抗値が変化する導電体と、該導電体に接続されかつ導電体の抵抗値の変化により警報を発する警報手段とを設け、この警報手段が、導電体の抵抗値の増加により点灯するライト、導電体の抵抗値の増加により消灯するライト、導電体の抵抗値の増加により点灯するライトと消灯するライト、前記導電体の抵抗値の増加により音波を発信する発信器、または、前記導電体の抵抗値の増加により電磁波の信号を発信する発信器およびこの発信器の発信信号を受信する受信機のいずれかであることを要旨とするものである。
また、本発明の別の流体移送用ホースは、ホース本体に、主補強層群の破損または該主補強層群の破損により流出流体吸収層に流出した流体の圧力により抵抗値が変化する導電体と、該導電体に接続されかつ導電体の抵抗値の変化により警報を発する警報手段とを設け、導電体を導電性ゴムから構成し、警報手段を、導電体の抵抗値の減少により点灯するライト、導電体の抵抗値の減少により消灯するライト、導電体の抵抗値の減少により点灯するライトと消灯するライト、前記導電体の抵抗値の減少により音波を発信する発信器、または、前記導電体の抵抗値の減少により電磁波の信号を発信する発信器およびこの発信器の発信信号を受信する受信機のいずれかにし、補助補強層群の補強層を、隣接する補強層がホース長手方向に対する傾斜方向を逆向きにして補強コードを交差させるようにして積層し、さらに、補助補強層群を主補強層群の破損により流出流体吸収層に流出した流体の圧力によりホース長手方向に伸長変形する構造にして、導電体を流出流体吸収層よりホース径方向外側にホース周方向に延在するように固定し、或いは、補助補強層群を主補強層群の破損により流出流体吸収層に流出した流体の圧力によりホース径方向に伸長変形する構造にして、導電体を流出流体吸収層よりホース径方向外側にホース長手方向に延在するように固定し、或いは、補助補強層群を主補強層群の破損により流出流体吸収層に流出した流体の圧力によりホース長手方向に対して捩じれ変形する構造にして、導電体を流出流体吸収層よりホース径方向外側にホース周方向に延在するように固定したことを要旨とするものである。
【０００８】
上記構成によれば、主補強層群の破損に起因して導電体が切断または抵抗値が変化した際に、警報手段が警報を発するため、遠方からであっても作業員が主補強層群の破損を見落とすことがない。また、夜間であっても、作業員が容易かつ確実に主補強層群の破損を発見することができる。
【０００９】
【発明の実施の形態】
以下、本発明の構成について添付の図面を参照しながら詳細に説明する。
【００１０】
図１〜３において、本発明の液体移送用ホースＨ１は、ホース本体１とその両端に取り付けられた取付フランジ２とを備えている。
【００１１】
ホース本体１は、円管状の内面ゴム層３の外周側に主補強層群４が円管状に積層されている。主補強層群４の外周側に円管状の流出流体吸収層５を介して補助補強層群６が円管状に配設され、その外周側に円管状の外面ゴム層７が設けられている。
【００１２】
主補強層群４は、ホース長手方向に対して傾斜配列した有機繊維コードからなる補強コードをゴム被覆してなる複数の補強層を積層した構成になっている。隣接する補強層は、その補強コードがホース長手方向に対する傾斜方向を逆向きにして交差しており、主補強層群４は、内面ゴム層３の内側を移送される流体に対して耐圧力層及び耐張力層として作用している。主補強層群４の補強層の数としては、例えば、１４〜２０層にすることができる。
【００１３】
流出流体吸収層５は、スポンジゴムや発泡ポリウレタンなどから構成され、主補強層群４の破損により流出した流体を吸収する吸収層と、液体移送用ホースＨ１を浮遊させるフロート層としての両機能を備えている。
【００１４】
補助補強層群６は、ホース長手方向に対して傾斜配列した有機繊維コードからなる補強コードをゴム被覆してなる複数の補強層を積層した構成になっている。隣接する補強層は、その補強コードがホース長手方向に対する傾斜方向を逆向きにして交差しており、補助補強層群６は、主補強層群４の破損により流出流体吸収層５に流出した流体が外部に流出するのを防止する保護層の機能を有している。
【００１５】
補助補強層群６の補強層の補強コードは、ホース長手方向に対して一方側に傾斜する補強コードと他方側に傾斜する補強コードのホース長手方向に対する傾斜角度が略同一で、約５５°（静止角度）にしてあり、主補強層群４の破損による流出流体の圧力を補助補強層群６が受けても変形しない構造になっている。この補助補強層群６の補強層の数としては、例えば、２０層前後にすることができる。
【００１６】
主補強層群４の外周面４ａには、主補強層群４の破損により主補強層群４が後述するように伸長変形した際に切断可能な導電体９がホース長手方向に沿って延設され、その両端９ａ，９ｂが外周面４ａに固定されている。導電体９は、銅線などの金属線から構成されており、その長手方向において、少なくとも２箇所、好ましくは上述したように少なくとも両端９ａ，９ｂを主補強層群４の外周面４ａに固定するのがよい。
【００１７】
導電体９には、発光ダイオードからなるライト（警報手段）１０が並列に接続され、この導電体９とライト１０からなる接続体に抵抗１１と直流電源１２が直列に接続してある。ライト１０、抵抗１１、及び直流電源１２は、ホース本体１の端部１Ａに設けられた収容部１３に収容されている。図１では、ホースの異常状態の発見をより容易にするため、収容部１３をホース本体１の両方の端部１Ａに設け、各収容部１３にそれぞれライト１０、抵抗１１、及び直流電源１２を収容する例を示している。図３では、一方の収容部１３を省略している。
【００１８】
上述した流体移送用ホースＨによれば、主補強層群４が内面ゴム層３内を移送される流体により破損すると、その箇所における主補強層群４の補強コードが切断される。その切断により張力バランスを失った補強コードがその傾斜角度を小さくしながらホース長手方向に伸びる。それにより、主補強層群４がホース長手方向に伸長するため、導電体９が引っ張られて切断する。その結果、ライト１０に電流が流れて、ライト１０が点灯する。従って、遠方からあるいは夜間に作業員がそのライト１０の点灯により主補強層群４の破損を容易かつ確実に知ることができる。
【００１９】
図４は、本発明の流体移送用ホースの他の例を示す。この流体移送用ホースＨ２は、上述した図３の流体移送用ホースＨ１において、導電体９、ライト１０、電源１２を直列接続したものである。この流体移送用ホースＨ２では、点灯しているライト１０が導電体９の切断により消灯する。それを作業員が見つけて主補強層群４の破損を知ることができる。
【００２０】
図５は、本発明の流体移送用ホースの更に他の例を示し、この流体移送用ホースＨ３は、上述した図３の流体移送用ホースＨにおいて、上記導電体９と同様の切断可能な第２導電体１４と、発光ダイオードからなる第２ライト１５を更に加えたものである。直列に接続された第２導電体１４と第２ライト１５がライト１０と抵抗１１に並列接続されている。ホース長手方向に沿って延設された第２導電体１４の両端部１４ａ，１４ｂが主補強層群４の外周面４ａに固定されている。第２ライト１５は、収容部１３に設置される。ライト１０，１５は異なる色で発光するようになっている。
【００２１】
この流体移送用ホースＨ３は、導電体９，１４が切断されると、点灯していたライト１５が消灯し、ライト１０が点灯する。それを作業員が見つけて主補強層群４の破損を知ることができる。ライト１０，１５の発光色としては、例えば、ライト１０の発光色を赤、ライト１５の発光色を青にすることができる。
【００２２】
図３〜５の実施形態において、導電体９，１４は主補強層群４の外周面４ａに設けたが、それに代えて、主補強層群４の内周面や内面ゴム層３の外周面に固定してもよく、また内面ゴム層３の内周面に配置することも可能であり、流出流体吸収層５よりホース径方向内側に取り付けることができる。好ましくは、上述したように主補強層群４の外周面４ａに固定するのがよく、これによりホース製造時における導電体９の取付けを容易に行うことができる。
【００２３】
導電体９，１４全体、あるいは大部分をホース本体１に固定する場合には、導電体９，１４はホース長手方向に延在するように設ければよく、例えば、螺旋状にして固定することもできる。導電体９，１４は、主補強層群４が伸長した際に切断可能であれば、いずれの配置構造を採用してもよい。
【００２４】
また、補助補強層群６は、主補強層群から流出した流体の圧力を受けてホースの長手方向や径方向に伸長変形したり、或いはホース周方向に捩じれ変形する、後述する構造であってもよい。
【００２５】
図６は、本発明の流体移送用ホースの更に他の例を示す。この流体移送用ホースＨ４は、図３に示す流体移送用ホースＨ１において、導電体９を補助補強層群６の内周面６ａに固定したものである。また、補助補強層群６の補強層の補強コードが、ホース長手方向に対する傾斜角度を大きく（約５６〜８６°）してあり、主補強層群４の破損による流出流体の圧力を補助補強層群６が受けると、補強コードが傾斜角度を小さくしながらホース長手方向に伸びることにより、補助補強層群６がホース長手方向に伸長変形するようになっている。この補助補強層群６の伸長により、導電体９が切断されるようにしている。
【００２６】
図４，５に示す流体移送用ホースＨ２，Ｈ３においても、図６同様に補助補強層群６をホース長手方向に伸長変形する構造にし、その補助補強層群６の内周面６ａに導電体９あるいは導電体９，１５を固定することができる。
【００２７】
このようにホース長手方向に伸長する構造にした補助補強層群６に導電体９あるいは導電体９，１５を設置することよっても、ライト１０が点灯または消灯、あるいは点灯していたライト１５が消灯し、ライト１０が点灯するので、作業員が主補強層群４の破損を容易かつ確実に見つけることができる。
【００２８】
図７〜９は、本発明の流体移送用ホースの更に他の例を示す。これらの流体移送用ホースＨ５，Ｈ６，Ｈ７では、図６の流体移送用ホースＨ４において、補助補強層群６を上述したホース長手方向に伸長する構造に代えて、ホース径方向に伸長する構造にしたものである。
【００２９】
この補助補強層群６は、補強層の補強コードが、ホース長手方向に対する傾斜角度を上記より小さく（約０〜５４°）してあり、主補強層群４の破損による流出流体の圧力を補助補強層群６が受けると、補強コードがホース長手方向に伸び切った後、補強層がホース径方向に伸長することにより、補助補強層群６がホース径方向に伸びるようになっている。
【００３０】
図７の流体移送用ホースＨ５は、図３と同じ回路構成であり、導電体９がホース径方向に伸びる構造の補助補強層群６の内周面６ａに沿って螺旋状に巻回され、その両端９ａ，９ｂを含めた複数箇所が内周面６ａに固定されている。補助補強層群６のホース径方向への伸長変形により導電体９が切断されると、ライト１０が点灯する。
【００３１】
図８の流体移送用ホースＨ６は、図４と同じ回路構成であり、導電体９がホース径方向に伸びる構造の補助補強層群６の内周面６ａに沿って螺旋状に巻回され、その両端９ａ，９ｂを含めた複数箇所が内周面６ａに固定してある。補助補強層群６のホース径方向への伸長により導電体９が切断されると、ライト１０が消灯する。
【００３２】
図９の流体移送用ホースＨ７は、図５と同じ回路構成であり、導電体９，１４がホース径方向に伸びる構造の補助補強層群６の内周面６ａに沿って螺旋状に巻回され、その両端９ａ，９ｂと１４ａ，１４ｂを含めた複数箇所が内周面６ａに固定されている。補助補強層群６のホース径方向への伸長変形により導電体９，１４が切断されると、点灯していたライト１５が消灯し、ライト１０が点灯する。
【００３３】
図７〜９の流体移送用ホースでは、上記実施形態において、導電体９，１４を螺旋状に巻回したが、単に周方向に延在するように巻き付けてもよい。
【００３４】
図１０〜１２は、本発明の流体移送用ホースの更に他の例を示す。これらの流体移送用ホースＨ８，Ｈ９，Ｈ１０は、図６に示した流体移送用ホースＨ４において、補助補強層群６をホース長手方向に伸長する構造に代えて、ホース長手方向に対して捩じれる構造にしたものである。
【００３５】
この補助補強層群６は、ホース長手方向に対して一方側に傾斜する補強層の補強コードと他方側に傾斜する補強層の補強コードのホース長手方向に対する傾斜角度が異なっており（例えば、一方側を５５°、他方側を６０°）、主補強層群４の破損による流出流体の圧力を補助補強層群６が受けると、ホース長手方向に伸びる一方側に傾斜した補強コードと他方側に傾斜した補強コードの伸び率の違いにより、補助補強層群６がホース長手方向に対して捩じれ変形するようになっている。
【００３６】
図１０の流体移送用ホースＨ８は、図３と同じ回路構成であり、導電体９がホース長手方向に対して捩じれる構造の補助補強層群６の内周面６ａに沿って、補助補強層群６の捩じれ方向と逆方向に螺旋状に巻回され、その両端９ａ，９ｂを含めた複数箇所が内周面６ａに固定してある。補助補強層群６の捩じれ変形により導電体９が切断されると、ライト１０が点灯する。
【００３７】
図１１の流体移送用ホースＨ９は、図４と同じ回路構成であり、導電体９がホース長手方向に対して捩じれる構造の補助補強層群６の内周面６ａに沿って、補助補強層群６の捩じれ方向と逆方向に螺旋状に巻回され、その両端９ａ，９ｂを含めた複数箇所が内周面６ａに固定されている。補助補強層群６の捩じれ変形により導電体９が切断されると、ライト１０が消灯する。
【００３８】
図１２の流体移送用ホースＨ１０は、図５と同じ回路構成であり、導電体９，１４がホース長手方向に対して捩じれる構造の補助補強層群６の内周面６ａに沿って、補助補強層群６の捩じれ方向と逆方向に螺旋状に巻回され、その両端９ａ，９ｂと１４ａ，１４ｂを含めた複数箇所が内周面６ａに固定してある。補助補強層群６の捩じれ変形により導電体９，１４が切断されると、点灯していたライト１５が消灯し、ライト１０が点灯する。
【００３９】
図７〜１２の実施形態において、導電体９，１４を補助補強層群６の内周面６ａに設けたが、それに代えて、補助補強層群６の外周面や外面ゴム層７の内周面に固定してもよく、また外面ゴム層７の外周面に配置することも可能であり、補助補強層群６を伸長または捩じれ変形可能にした流体移送用ホースでは、導電体９，１４を流出流体吸収層５よりホース径方向外側に取り付けることができる。好ましくは、上述したように補助補強層群６の内周面６ａに固定するのが、ホース製造時における導電体９，１４の取付けを容易にする上でよい。
【００４０】
本発明では、上述した実施形態において、導電体９，１４に金属線を用いた例を示したが、それに代えて、導電性ゴムを使用してもよい。その場合、導電体９，１４は切断されずに伸長して断面積が減少するため、抵抗値が増加する。それにより導電体９，１４を流れる電流が制限されるため、図３，７，１０の流体移送用ホースＨ１，Ｈ５，Ｈ８ではライト１０が点灯し、図４，８，１１の流体移送用ホースＨ２，Ｈ６，Ｈ９ではライト１０が消灯または明るさが暗くなり、また図５，９，１２の流体移送用ホースＨ３，Ｈ７，Ｈ１０では、点灯していたライト１５が消灯または明るさが暗くなる一方、ライト１０が点灯する。
【００４１】
図１３，１４は、本発明の流体移送用ホースの更に他の例を示す。図１３の流体移送用ホースＨ１１は、補助補強層群６がホース長手方向に伸長変形する構造にしてある。導電体９は、抵抗値が高い導電性ゴムから構成され、ホース周方向に沿って延在するようにして、補助補強層群６の内周面６ａに接着により固定されている。この流体移送用ホースＨ１１では、補助補強層群６がホース長手方向に伸長変形すると、導電性ゴムがホース長手方向に引っ張られてその断面積が大きくなる。その結果、導電性ゴムの抵抗値が減少し、流れる電流の量が増大するため、ライト１０が点灯する。
【００４２】
図１４の流体移送用ホースＨ１２は、補助補強層群６がホース径方向に伸長変形する構造になっている。上記と同様に抵抗値が高い導電性ゴムから構成された導電体９が、ホース長手方向に沿って延設され、かつ補助補強層群６の内周面６ａに固定されている。この流体移送用ホースＨ１２では、補助補強層群６がホース径方向に伸長変形すると、導電性ゴムがホース周方向に引っ張られてその断面積を大きくする。そのため、導電性ゴムの抵抗値が減少し、ライト１０が点灯する。
【００４３】
図１３の実施形態では、補助補強層群６をホース長手方向に伸長変形する構造にしたが、それに代えてホース長手方向に対して捩じれ変形する構造にしてもよい。これにより、ホースが捩じれ変形すると、導電性ゴムがホース捩じれ方向に張られてその断面積が大きくなり、ライト１０が点灯する。
【００４４】
図１３，１４の実施形態では、図４に示す回路構成を有する流体移送用ホースを例示したが、図３，５のような回路構成を有する流体移送用ホースであってもよい。即ち、導電性ゴムの抵抗値の減少によりライト１０を消灯させたり（図３に示す回路構成を有するもの）、あるいは導電性ゴムの抵抗値の減少によりライト１０を点灯させ、ライト１５を消灯させる（図５に示す回路構成を有するもの）ようにしてもよい。
【００４５】
図１５は、上述した導電体９，１４の他の例を示す。この導電体Ｘは、金属線または導電性ゴム部材Ｘ１間に、主補強層群４の伸長変形、あるいは補助補強層群６の伸長または捩じれ変形により切断あるいは離間可能なコネクターＸ２を接続したものである。このような構成の導電体Ｘも、本発明では好ましく用いることができる。
【００４６】
図１６に、収容部１３の取付構造の一例を示す。収容空間を有する透明樹脂カバー１７が、ホース本体１の表面１ａにシール部材１６を介してボルトとナットからなる固定手段１８により固定され、透明樹脂カバー１７内に海水が入らないように密封構造になっている。その透明樹脂カバー１７内にライト１０，１５、抵抗１１、直流電源１２が収容されている。透明樹脂カバー１７の両側に透明樹脂カバー１７より若干外周側に突出する保護カバー１９が固設され、衝突の際に透明樹脂カバー１７を保護するようになっている。
【００４７】
本発明において、上述した直流電源１２としては、太陽電池を好ましく用いることができる。主補強層群４の補強層に用いる補強コードは、上記実施形態では有機繊維コードを使用したが、それに代えてスチールコードを用いてもよい。主補強層群４及び補助補強層群６の補強層は、それぞれ補強コードが交差する２層の補強層を１組とし、偶数層となるように設けるのがよい。
【００４８】
上述した図３，５，７，９，１０，１２，１３，１４の流体移送用ホースでは、警報手段として、ライト１０に代えて、音波または電磁波の信号を発信する発信器を用いるようにしてもよい。電磁波の信号を発信する発信器を用いる場合には、それを受信する受信機を作業員が確認し易い場所に設けるものとする。
【００４９】
本発明は、当然のことながら、補助補強層群６を伸長または捩じれ変形可能な構造にした上述の流体移送用ホースにおいて、その外面ゴム層７の外周面に、補助補強層群６の伸長または捩じれ変形が発生した際に共に伸長または捩じれ変形して主補強層群４の破損を知らせるための複数のライン（ストライプ）を設けたものであってもよい。このように主補強層群４の破損を知らせる外面ゴム層７外周面のストライプと、本発明の導電体の切断または抵抗値の変化により警報を発する警報手段とを組み合わせることにより、主補強層群４の破損の発見を一層確実にすることができる。
【００５０】
【発明の効果】
上述したように本発明は、主補強層群の破損に起因して導電体が切断または抵抗値が変化した際に警報手段が警報を発するので、遠方からあるいは夜間であっても作業員が容易かつ確実に主補強層群の破損を見つけることができる。
【図面の簡単な説明】
【図１】本発明の流体移送用ホースの一例を示す斜視図である。
【図２】図１の流体移送用ホースの拡大断面図である。
【図３】図１の流体移送用ホースの回路図を含む説明図である。
【図４】本発明の流体移送用ホースの他の例における回路図を含む説明図である。
【図５】本発明の流体移送用ホースの更に他の例における回路図を含む説明図である。
【図６】本発明の流体移送用ホースの更に他の例を示す断面図である。
【図７】本発明の流体移送用ホースの更に他の例における回路図を含む説明図である。
【図８】本発明の流体移送用ホースの更に他の例における回路図を含む説明図である。
【図９】本発明の流体移送用ホースの更に他の例における回路図を含む説明図である。
【図１０】本発明の流体移送用ホースの更に他の例における回路図を含む説明図である。
【図１１】本発明の流体移送用ホースの更に他の例における回路図を含む説明図である。
【図１２】本発明の流体移送用ホースの更に他の例における回路図を含む説明図である。
【図１３】本発明の流体移送用ホースの更に他の例における回路図を含む説明図である。
【図１４】本発明の流体移送用ホースの更に他の例における回路図を含む説明図である。
【図１５】本発明の流体移送用ホースに用いられる導電体の他の例を示す説明図である。
【図１６】本発明の流体移送用ホースに用いられるライトや電池などを収容する収容部の取付構造を示す断面図である。
【符号の説明】
１  ホース本体                  ２  取付フランジ
３  内面ゴム層                  ４  主補強層群
４ａ  外周面                    ５  流出流体吸収層
６  補助補強層群                ６ａ  内周面
７  外面ゴム層                  ９，１４，Ｘ  導電体
１０，１５  ライト（警報手段）  １２  電源
Ｈ１〜１２  流体移送用ホース    Ｘ１  金属線または導電性ゴム部材
Ｘ２  コネクター
【図１】
0004148667.tif 000002
【図２】
0004148667.tif 000003
【図３】
0004148667.tif 000004
【図４】
0004148667.tif 000005
【図５】
0004148667.tif 000006
【図６】
0004148667.tif 000007
【図７】
0004148667.tif 000008
【図８】
0004148667.tif 000009
【図９】
0004148667.tif 000010
【図１０】
0004148667.tif 000011
【図１１】
0004148667.tif 000012
【図１２】
0004148667.tif 000013
【図１３】
0004148667.tif 000014
【図１４】
0004148667.tif 000015
【図１５】
0004148667.tif 000016
【図１６】
0004148667.tif 000017